(57)【要約】【課題】鍵盤楽器の奥行き寸法を抑えると共に、非押鍵状態における鍵本体部の後方への変位を抑制してヒンジ部の塑性変形を防止する。【解決手段】白鍵本体２７、黒鍵本体２８は、下方且つ鉛直方向に延設されたヒンジ部２４、２５、２６を介して、共通基端部２１、２２、２３を鍵支点として押離鍵方向に回動自在である。鍵フレーム１０の中間部１０ｂには、後方ストッパ４２が設けられ、鍵本体２７、２８が押鍵初期位置にあるときには、後方ストッパ４２の前面に、ストッパ当接片２９、３０の当接部２９ａ、３０ａが軽く当接している。非押鍵状態において、鍵本体２７、２８に後方への力がかかれば、それに抗する前方への力が後方ストッパ４２から当接部２９ａ、３０ａに与えられ、鍵本体２７、２８の後方への変位が抑制される。【選択図】図１
2008026403.tif 000002
【特許請求の範囲】
【請求項１】
鍵本体部が薄板状のヒンジ部を介して後部に位置する基端部に接続され、前記基端部を鍵支点部として前記鍵本体部が押離鍵方向に回動自在にされた鍵と、
楽器本体に対して固定的に設けられ、前記鍵の前記基端部を固定的に支持する鍵フレームと、
前記楽器本体及び前記鍵フレームの少なくとも一方に固定的に設けられたストッパ部と、
前記鍵本体部に設けられ、非押鍵状態において前記ストッパ部と近接または当接するストッパ当接部とを有し、
前記鍵の前記ヒンジ部は、前記鍵本体部の押鍵面に対して交差する方向及び鍵並び方向に平行に形成され、
前記鍵の少なくとも非押鍵状態において、前記鍵本体部が後方に付勢されたとき、前記ストッパ当接部と前記ストッパ部との当接によって、前記鍵本体部の後方への変位が規制されるように構成されたことを特徴とする電子鍵盤楽器の鍵盤構造。
【請求項２】
前記鍵の押離鍵行程において、前記ストッパ部と前記ストッパ当接部との間隔は、非押鍵状態のときが最も小さいことを特徴とする請求項１記載の電子鍵盤楽器の鍵盤構造。
【請求項３】
前記基端部は、非押鍵状態にある前記鍵本体部の押鍵面よりも下に位置し、前記鍵本体部が押鍵行程における往方向に回動するにつれて前記ストッパ当接部の前後方向における位置が前記鍵本体部と共に前方に変位することで、前記鍵本体部が押鍵行程における往方向に回動するにつれて前記ストッパ部と前記ストッパ当接部との前後方向における間隔が大きくなるように構成されたことを特徴とする請求項２記載の電子鍵盤楽器の鍵盤構造。
【請求項４】
前記ストッパ部は、前記鍵フレームに設けられ、前記鍵本体部の押離鍵動作をガイドする鍵ガイド部としての機能を兼ねるように構成されたことを特徴とする請求項１〜３のいずれか１項に記載の電子鍵盤楽器の鍵盤構造。
【請求項５】
前記ストッパ部は、前記鍵フレームに設けられ、押鍵行程における復方向に回動する鍵本体部と当接して前記鍵の押鍵初期位置を規制する押鍵初期ストッパとしての機能を兼ねるように構成されたことを特徴とする請求項１〜３のいずれか１項に記載の電子鍵盤楽器の鍵盤構造。
【請求項６】
前記ストッパ部は、前記鍵フレームに設けられ、押鍵行程における往方向に回動する鍵本体部と当接して前記鍵の押鍵終了位置を規制する押鍵終了ストッパとしての機能を兼ねるように構成されたことを特徴とする請求項１〜３のいずれか１項に記載の電子鍵盤楽器の鍵盤構造。
【発明の詳細な説明】
【技術分野】
【０００１】
本発明は、鍵本体部が薄板状のヒンジ部を介して基端部に接続され、基端部を鍵支点部として押離鍵方向に回動自在にされた鍵を備えた電子鍵盤楽器の鍵盤構造に関する。
【背景技術】
【０００２】
従来、電子鍵盤楽器の鍵盤構造において、鍵本体部が薄板状のヒンジ部を介して、後部に位置する基端部に回動自在に支持されたものが知られている（下記特許文献１）。この種の鍵盤構造では、各鍵のヒンジ部は、押鍵面とほぼ平行に後方に水平に延設される。そのため、鍵の長手方向の寸法が長くなり、鍵盤楽器乃至楽器本体の奥行きが長くなる。
【０００３】
一方、下記特許文献２における鍵盤構造においては、ヒンジ部及び基端部が鍵本体部後部から下方に鉛直に延設されて、鍵の長手方向の寸法が短縮されている。
【特許文献１】特許第２６２８６５６号公報
【特許文献２】特開２００１−２１５９６８号公報
【発明の開示】
【発明が解決しようとする課題】
【０００４】
しかしながら、上記特許文献２では、ヒンジ部が鉛直方向に平行で、ヒンジ部が前後方向に撓むようになっているため、鍵本体部が前方から後向きの力を受けたとき、その力のほとんどがヒンジ部に加わり、ヒンジ部が後方に撓むことになる。特に、前方からの力は、手で鍵前端を押しただけで発生し、しかもその力が強いことも十分にあり得る。従って、不注意で過剰な力がかかって、ヒンジ部が塑性変形を起こすおそれがある。
【０００５】
ところで、仮に、ヒンジ部の長さを十分に長く設計すれば、鍵前方からの力に対して、塑性変形を起こしにくくなる。しかしながら、ヒンジ部が長すぎると、鍵本体部がローリングを起こしやすく、鍵機能が著しく低下するため、好ましくない。
【０００６】
本発明は上記従来技術の問題を解決するためになされたものであり、その目的は、鍵盤楽器の奥行き寸法を抑えると共に、非押鍵状態における鍵本体部の後方への変位を抑制してヒンジ部の塑性変形を防止することができる電子鍵盤楽器の鍵盤構造を提供することにある。
【課題を解決するための手段】
【０００７】
上記目的を達成するために本発明の請求項１の電子鍵盤楽器の鍵盤構造は、鍵本体部（２７、２８）が薄板状のヒンジ部（２４、２５、２６）を介して後部に位置する基端部（２１、２２、２３）に接続され、前記基端部を鍵支点部として前記鍵本体部が押離鍵方向に回動自在にされた鍵と、楽器本体に対して固定的に設けられ、前記鍵の前記基端部を固定的に支持する鍵フレーム（１０）と、前記楽器本体及び前記鍵フレームの少なくとも一方に固定的に設けられたストッパ部（４２、４４、４８、４９、５１、５２、５３）と、前記鍵本体部に設けられ、非押鍵状態において前記ストッパ部と近接または当接するストッパ当接部（２９ａ、３０ａ、４３、４５、２７ｂ、２８ｂ）とを有し、前記鍵の前記ヒンジ部は、前記鍵本体部の押鍵面に対して交差する方向及び鍵並び方向に平行に形成され、前記鍵の少なくとも非押鍵状態において、前記鍵本体部が後方に付勢されたとき、前記ストッパ当接部と前記ストッパ部との当接によって、前記鍵本体部の後方への変位が規制されるように構成されたことを特徴とする。
【０００８】
好ましくは、前記鍵の押離鍵行程において、前記ストッパ部と前記ストッパ当接部との間隔は、非押鍵状態のときが最も小さい（請求項２）。
【０００９】
好ましくは、前記基端部は、非押鍵状態にある前記鍵本体部の押鍵面（２７ａ、２８ａ）よりも下に位置し、前記鍵本体部が押鍵行程における往方向に回動するにつれて前記ストッパ当接部の前後方向における位置が前記鍵本体部と共に前方に変位することで、前記鍵本体部が押鍵行程における往方向に回動するにつれて前記ストッパ部と前記ストッパ当接部との前後方向における間隔が大きくなるように構成される（請求項３）。
【００１０】
好ましくは、前記ストッパ部は、前記鍵フレームに設けられ、前記鍵本体部の押離鍵動作をガイドする鍵ガイド部（４４）としての機能を兼ねるように構成される（請求項４）。
【００１１】
好ましくは、前記ストッパ部は、前記鍵フレームに設けられ、押鍵行程における復方向に回動する鍵本体部と当接して前記鍵の押鍵初期位置を規制する押鍵初期ストッパ（４８）としての機能を兼ねるように構成される（請求項５）。
【００１２】
好ましくは、前記ストッパ部は、前記鍵フレームに設けられ、押鍵行程における往方向に回動する鍵本体部と当接して前記鍵の押鍵終了位置を規制する押鍵終了ストッパ（４９）としての機能を兼ねるように構成される（請求項６）。
【００１３】
なお、上記括弧内の符号は例示である。
【発明の効果】
【００１４】
本発明の請求項１によれば、鍵盤楽器の奥行き寸法を抑えると共に、非押鍵状態における鍵本体部の後方への変位を抑制してヒンジ部の塑性変形を防止することができる。
【００１５】
請求項２によれば、押鍵動作を妨げることなく非押鍵状態におけるストッパ部とストッパ当接部との間隔を最小限または０に設定でき、非押鍵状態における鍵本体部の後方への変位を最小限に抑制して、ヒンジ部の塑性変形を効果的に防止することができる。
【００１６】
請求項３によれば、押鍵により鍵本体部が前方に変位するようにして、演奏上、より好ましい押鍵点の軌跡とすると共に、押鍵動作を妨げることなくヒンジ部の塑性変形を効果的に防止することができる。
【００１７】
請求項４によれば、ストッパ部が鍵ガイド部を兼ねることで、構成を複雑化することなく鍵本体部の後方への変位を抑制することができる。
【００１８】
請求項５によれば、ストッパ部が押鍵初期ストッパを兼ねることで、構成を複雑化することなく鍵本体部の後方への変位を抑制することができる。
【００１９】
請求項６によれば、ストッパ部が押鍵終了ストッパを兼ねることで、構成を複雑化することなく鍵本体部の後方への変位を抑制することができる。
【発明を実施するための最良の形態】
【００２０】
以下、本発明の実施の形態を図面を参照して説明する。
【００２１】
（第１の実施の形態）
図１は、本発明の第１の実施の形態に係る鍵盤構造が適用される電子鍵盤楽器の主要部の断面図である。本鍵盤楽器は、鍵フレーム１０に鍵ユニットＵＮＴが取り付けられてなる。以降、本鍵盤楽器の奏者側（図１の左方）を前方とし、左右方向については奏者を基準として呼称する。なお、鍵フレーム１０を支持する楽器本体の図示は省略されている。
【００２２】
図２（ａ）は、鍵ユニットＵＮＴの斜視図、図２（ｂ）は鍵フレーム１０の斜視図である。図２（ａ）に示すように、鍵ユニットＵＮＴは、例えば、１オクターブを単位として構成され、複数の白鍵本体２７をそれぞれ有する第１白鍵ユニットＷＵ１及び第２白鍵ユニットＷＵ２と、複数の黒鍵本体２８を有する黒鍵ユニットＢＵとが積層状態に組み付けられてなる。鍵フレーム１０は、樹脂による一体成形、または樹脂と樹脂以外（金属等）の複合によって構成され、全鍵幅に亘る長さに一体に構成される。従って、図２（ｂ）では、鍵フレーム１０の一部（１オクターブ分）がカットして示されている。
【００２３】
図１、図２（ｂ）に示すように、鍵フレーム１０の前部１０ｃの下部には、白鍵本体２７、黒鍵本体２８の押鍵時の下限位置（押鍵終了位置）を規制する下限ストッパ１１が設けられる。鍵フレーム１０の前後方向における中間に位置するほぼ水平な中間部１０ｂの前部下部には、鍵本体２７、２８の非押鍵位置でもある離鍵時の上限位置（押鍵初期位置）を規制する上限ストッパ１４が設けられる。下限ストッパ１１、上限ストッパ１４は、いずれもフェルト等の弾性部材で構成される。
【００２４】
中間部１０ｂの前部上部には、鍵並び方向に沿って突条部４１が一体に形成されている。中間部１０ｂの前部上部には、突条部４１の前面に当接して、後方ストッパ４２が固着等によって固定的に設けられている。後方ストッパ４２は、後述するように、非押鍵状態における白鍵本体２７、黒鍵本体２８の後方への変位を規制する。鍵フレーム１０の中間部１０ｂの前端部には、各白鍵本体２７、黒鍵本体２８に対応して、切り欠き部１０ｄが形成されている。
【００２５】
図１に示すように、鍵フレーム１０の中間部１０ｂにはまた、白鍵本体２７、黒鍵本体２８の各々に対応して、２メイク式の押鍵スイッチ１２、１３が配設される。なお、図２（ｂ）に示す鍵フレーム１０においては、押鍵スイッチ１２、１３が取り付けられるための取付部の図示が省略されている。鍵フレーム１０の後部１０ａには、鍵ユニットＵＮＴの全鍵共通基端部２０を嵌合支持する凹溝１５が全鍵幅に亘って形成される。凹溝１５は、側面視コ字状で、上方に開口している。
【００２６】
図３は、黒鍵ユニットＢＵの斜視図である。図４は、白鍵、黒鍵ユニットＷＵ１、ＷＵ２、ＢＵ及び鍵ユニットＵＮＴの後半部の側面図である。
【００２７】
図２（ａ）、図３、図４に示すように、黒鍵ユニットＢＵは、音高Ｃ＃、Ｄ＃、Ｆ＃、Ｇ＃、Ａ＃に相当する黒鍵本体２８を備える。また、図２（ａ）、図４に示すように、第１白鍵ユニットＷＵ１は、音高Ｃ、Ｅ、Ｇ、Ｂに相当する白鍵本体２７−１を備え、第２白鍵ユニットＷＵ２は、音高Ｄ、Ｆ、Ａに相当する白鍵本体２７−２を備える。以降、各白鍵本体を区別しないときは、単に「白鍵本体２７」と記す。白鍵本体２７、黒鍵本体２８の前半部の上面は押鍵面２７ａ、２８ａとして機能する。白鍵、黒鍵ユニットＷＵ１、ＷＵ２、ＢＵは、各々、樹脂で一体成形により構成される。
【００２８】
図１、図２、図３に示すように、各白鍵本体２７、黒鍵本体２８の各前部からは、押鍵されたときに下限ストッパ１１に当接するストッパ当接片２９、３０が垂下して形成されている。ストッパ当接片２９、３０の下部における後方に延設された部分は、鍵フレーム１０の中間部１０ｂの対応する切り欠き部１０ｄ（図１、図２（ｂ）参照）内に挿入されている。
【００２９】
図３、図４に示すように、黒鍵ユニットＢＵにおいて、各黒鍵本体２８の後端部から薄板状のヒンジ部２６が下方に延設され、ヒンジ部２６の下端部が、１オクターブ分の長さに亘る黒鍵共通基端部２３に接続されている。ヒンジ部２６及び黒鍵共通基端部２３は、同厚で鉛直方向に延び、鍵並び方向（左右方向）に平行である。各黒鍵本体２８は、対応するヒンジ部２６を介して、黒鍵共通基端部２３を鍵支点部として上下方向（押離鍵方向）に回動（揺動）自在である。黒鍵共通基端部２３の左右端部には、組み付けられた鍵ユニットＵＮＴが左右方向にばらけないようにするための仮止め片３１が形成されている。各仮止め片３１は、黒鍵共通基端部２３の左右両端から前方に板状に延設されている。
【００３０】
図４に示すように、黒鍵ユニットＢＵと同様に、第１白鍵ユニットＷＵ１において、各白鍵本体２７−１の後端部から、ヒンジ部２４が下方に延設され、ヒンジ部２４の下端部が、第１白鍵共通基端部２１に接続されている。第２白鍵ユニットＷＵ２において、各白鍵本体２７−２の後端部から、ヒンジ部２５が下方に延設され、ヒンジ部２５の下端部が、第２白鍵共通基端部２２に接続されている。各白鍵本体２７は、対応するヒンジ部２４、２５を介して第１、第２白鍵共通基端部２１、２２を鍵支点部として上下方向に回動自在である。ヒンジ部２４及び第１白鍵共通基端部２１、ヒンジ部２５及び第２白鍵共通基端部２２は、いずれも同厚で鉛直方向に延び、押鍵面２７ａとは直角を成し、鍵並び方向には平行である。
【００３１】
第１白鍵ユニットＷＵ１、第２白鍵ユニットＷＵ２及び黒鍵ユニットＢＵが組み付けられる際には、図４に示すように、それぞれの共通基端部である第１白鍵共通基端部２１、第２白鍵共通基端部２２及び黒鍵共通基端部２３が前方から順に積層される。これら共通基端部２１〜２３が当接して積層されたものが、上記した全鍵共通基端部２０となる。
【００３２】
各押鍵スイッチ１２、１３は、白鍵本体２７、黒鍵本体２８のうち対応するものに押圧されて、押離鍵動作を検出する。そして、不図示の楽音発生部により、検出された押離鍵動作に基づく楽音が発生するようになっている。
【００３３】
図２（ｂ）に示すように、鍵フレーム１０の後部１０ａにおいて、凹溝１５の前側には、鍵並び方向における複数箇所（例えば３箇所）に、弾性片１７が一体に突設形成されている。弾性片１７は、上方に延設され、鍵並び方向に沿って薄く形成され、その上端が前後方向に撓み得るようになっている。弾性片１７の後面には、背面視円形の突部１７ａが一体に突設形成されている（図２（ｂ）参照）。また、鍵フレーム１０の後部１０ａにおいて、凹溝１５の後側には、鍵並び方向における複数箇所（例えば２箇所）に、弾性片１６が一体に突設形成されている。弾性片１６は、その上端が前後方向に撓み得るようになっている。
【００３４】
鍵ユニットＵＮＴは、事前に一体的に組み付けられて、鍵フレーム１０に取り付けられる。まず、第１白鍵ユニットＷＵ１の第１白鍵共通基端部２１の後面側に第２白鍵ユニットＷＵ２の第２白鍵共通基端部２２を重ね合わせると共に、第２白鍵共通基端部２２の不図示の嵌合穴に突部２１ａ（図４参照）を嵌合する。次に、第２白鍵共通基端部２２の後面側に黒鍵ユニットＢＵの黒鍵共通基端部２３を重ね合わせると共に、共通基端部２１、２２が両側の仮止め片３１間に挟まれるように位置させる。
【００３５】
そして、３層に積層状態となった鍵ユニットＵＮＴの全鍵共通基端部２０を、鍵フレーム１０の凹溝１５に上方から嵌合する。すると、弾性片１７の突部１７ａ（図２（ｂ）参照）が第１白鍵共通基端部２１の不図示の嵌合穴に嵌合されると共に、黒鍵共通基端部２３の突部２３ａ（図３、図４参照）が弾性片１６の不図示の嵌合穴に嵌合される。その際、弾性片１７、１６は、各々の弾性により、それぞれ前側、後側に一旦撓んだ後、嵌合に伴い元の状態に戻る。これにより、全鍵共通基端部２０が凹溝１５に弾性的に嵌合固定され、鍵ユニットＵＮＴの鍵フレーム１０への装着が完了する。
【００３６】
鍵ユニットＵＮＴの鍵フレーム１０への組み付け後は、押鍵操作すると、各白鍵本体２７、黒鍵本体２８が、ヒンジ部２４〜２６の弾性により下方（押鍵の往方向）に回動し、下限ストッパ１１にストッパ当接片２９、３０の下端が当接して、押鍵終了状態となる。一方、押鍵を解除すると、各白鍵本体２７、黒鍵本体２８が、ヒンジ部２４〜２６の弾性により上方（押鍵の復方向）に回動し、ストッパ当接片２９、３０の後方に延びた部分の上端が上限ストッパ１４に当接して、各白鍵本体２７、黒鍵本体２８が押鍵初期位置に復帰する。
【００３７】
後方ストッパ４２（図１、図２（ｂ）参照）は、フェルト等の衝撃緩衝性を持った弾性部材で構成される。後方ストッパ４２は、各白鍵本体２７、黒鍵本体２８に対応して設けられるが、複数の鍵本体２７、２８に共通に設けてもよい。本実施の形態では、白鍵本体２７、黒鍵本体２８が押鍵初期位置にあるときには、後方ストッパ４２の前面に、ストッパ当接片２９、３０の上下方向中間部の後縁である当接部２９ａ、３０ａ（図１参照）が軽く当接している。ストッパ当接片２９、３０は、切り欠き部１０ｄに遊嵌状態であり、押鍵の全行程において、鍵フレーム１０自体に直接接触することはない。
【００３８】
ところで、ヒンジ部２４、２５、２６は、押鍵面２７ａ、２８ａよりも下の位置で下方に延び、押鍵面２７ａ、２８ａよりも共通基端部２１〜２３が下に位置するので、これらヒンジ部が上方に延びた構成や一般的な水平ヒンジの構成に比し、押鍵時における押鍵面２７ａ、２８ａの軌跡が良好なものとなる。すなわち、通常、押鍵面２７ａ、２８ａ上の任意の位置（以下、「押鍵点」と呼称する）は、押鍵により回動支点を中心とした円上を回動移動するので、前後方向に着目すると、押鍵が進むにつれて押鍵点は後方に移動していく。
【００３９】
しかし、それだけでなく、ヒンジタイプの鍵では、ヒンジ部の撓みによっても押鍵点が変位する。例えば、水平ヒンジでは、ヒンジ部前部が下方に撓むことによる、押鍵点の位置の後方への変位が加わる。ヒンジ部が上方に延びた構成においても、ヒンジ部下部が後方に撓むことによる、押鍵点の位置の後方への変位が加わる。押鍵点の後方への変位量は、少ない方が、演奏上好ましい。
【００４０】
ところが、本実施の形態では、押鍵により、ヒンジ部２４、２５、２６の上部が前方に撓むので、ヒンジ部２４、２５、２６の撓みは、上記回動支点を中心とした回動移動による後方への変位を相殺する方向に作用することになる。本実施の形態では、具体的には、押鍵往行程において、押鍵点の前後方向の位置は、徐々に前方に変位するようになっている。従って、ストッパ当接片２９、３０の当接部２９ａ、３０ａについても、白鍵本体２７、黒鍵本体２８と共に前方に変位する。
【００４１】
これにより、後方ストッパ４２の前面と当接部２９ａ、３０ａとの前後方向の間隔は、押鍵初期位置に最小の「０」であり、白鍵本体２７、黒鍵本体２８が往方向に回動するにつれて徐々に大きくなって、押鍵終了位置において最大となる。また、上記のようなヒンジ部構成により、実質的な押鍵点の軌跡は、アコースティックグランドピアノのような長尺で鍵下部に支点を有する鍵における押鍵点の軌跡に近いものとなる。従って、押鍵面２７ａ、２８ａの軌跡を良好にして、表現力向上にとってより好ましい状態にすることができる。
【００４２】
ここで、ヒンジ部２４、２５、２６は、これらの上端が前後方向に撓むので、白鍵本体２７、黒鍵本体２８は、対応するヒンジ部２４、２５、２６の撓みを介して前後方向に変位可能である。従って、何ら対策が施されていなければ、手等で前方から鍵本体２７、２８に後方への力がかけられると、鍵本体２７、２８は簡単に後方に変位してしまい、ヒンジ部２４〜２６に過剰な応力がかかるおそれがある。
【００４３】
しかしながら、本実施の形態では、非押鍵状態において、当接部２９ａ、３０ａが後方ストッパ４２に当接しており、鍵本体２７、２８に後方への力がかかれば、それに抗する前方への力が後方ストッパ４２から当接部２９ａ、３０ａに与えられる。これにより、非押鍵状態における鍵本体２７、２８の後方への変位が抑制されるので、ヒンジ部２４〜２６の撓み量が少なくて済み、それらの塑性変形が防止される。その一方、押鍵初期位置を除けば、後方ストッパ４２から当接部２９ａ、３０ａが離間するので（図１に示す２点鎖線のストッパ当接片２９、３０を参照）、押離鍵行程における鍵本体２７、２８の回動動作には支障はない。
【００４４】
ところで、ヒンジ部２４〜２６の塑性変形を防止する観点からは、押鍵初期位置おいて、後方ストッパ４２と当接部２９ａ、３０ａとは完全に当接していなくてもよい。すなわち、両者が近接、すなわち、僅かな（好ましくは極力小さな）間隙を有していて、鍵本体２７、２８が後方に付勢されたときに当接するように構成してもよい。後方ストッパ４２が弾性を有していることから、設計上、押鍵初期位置において、後方ストッパ４２が当接部２９ａ、３０ａが軽い当接状態となるようにすればよく、組み付けの結果として間隙が生じてもよいし、経年変化で間隙が生じてもよい。間隙が「０」あるいは間隙が小さいほど、鍵本体２７、２８の後方への変位が少なくて済むことになる。
【００４５】
また、押離鍵行程の途中においては、後方ストッパ４２と当接部２９ａ、３０ａとは離間するわけであるが、その間隙はそれほど大きくならない。従って、押離鍵途中で鍵本体２７、２８が後方に非常に大きな力で付勢されたときは、後方ストッパ４２に当接部２９ａ、３０ａが当接し得る。これにより、押離鍵途中においても、ヒンジ部２４〜２６の塑性変形という最悪の事態は回避される。
【００４６】
本実施の形態によれば、鍵ユニットＵＮＴにおいて、ヒンジ部２４〜２６が、押鍵面２７ａとは直角を成し、鉛直方向及び鍵並び方向に平行であるので、鍵ユニットＵＮＴの鍵長手方向の寸法を短くでき、鍵盤楽器の奥行き寸法を抑えることができる。
【００４７】
また、非押鍵状態において後方ストッパ４２と当接部２９ａ、３０ａとが当接していて、鍵本体２７、２８が後方に付勢されたときに、これらの当接によって鍵本体２７、２８の後方への変位が規制されるので、ヒンジ部２４〜２６の塑性変形を防止することができる。
【００４８】
特に、鍵本体２７、２８が押鍵行程における往方向に回動するにつれて、当接部２９ａ、３０ａの前後方向における位置が鍵本体２７、２８と共に前方に変位し、後方ストッパ４２と当接部２９ａ、３０ａとの前後方向における間隔が大きくなるように構成されているので、押鍵動作を妨げることなく、非押鍵状態における後方ストッパ４２と当接部２９ａ、３０ａとの間隔を最小限（本実施の形態では「０」）に設定することが可能となっている。その結果、演奏上、より好ましい押鍵点の軌跡とすると共に、押鍵動作を妨げることなく、非押鍵状態における鍵本体２７、２８の後方への変位を最小限に抑制して、ヒンジ部２４〜２６の塑性変形を効果的に防止することができる。
【００４９】
なお、非押鍵状態時に鍵本体２７、２８の後方への変位を抑制するに際し、押鍵動作が妨げられないようにすることに限っていえば、押鍵初期位置以外で、後方ストッパ４２から当接部２９ａ、３０ａが離間するように構成すればよい。従って、押鍵往工程において鍵本体が前方に変位するものでなかったとしても、後方ストッパ４２及び当接部２９ａ、３０ａの形状の設定を工夫することにより、非押鍵状態時に両者を最近接させることは可能である。図５にその一例を示すが、この考え方は、後述する第２の実施の形態以降の構成においても適用可能である。
【００５０】
図５は、第１の実施の形態における後方ストッパ及び当接部の変形例の要部を示す側面図である。同図では、例として、後方ストッパ４２の形状と、白鍵本体２７−１のストッパ当接片２９の当接部２９ａの形状とを変えた構成を示しているが、白鍵本体２７−２、黒鍵本体２８にも同様に適用可能である。
【００５１】
図１に示す構成では、後方ストッパ４２の前面、及びストッパ当接片２９の当接部２９ａの後面は、共に鉛直方向に平行であった。これに対し、この変形例では、図５に示すように、非押鍵状態において、後方ストッパ４２の前面４２ａは、上方にいくにつれて前方に傾斜し、当接部２９ａもこれに対応して、上方にいくにつれて前方に傾斜し、両者が面当接している。このような傾斜の設定自体は、第１の実施の形態においても採用可能である。
【００５２】
しかし、この変形例ではさらに、図５に示すように、白鍵本体２７−１の後端部から、ヒンジ部２４が下方ではなく上方に延設され、共通基端部２１が、押鍵面２７ａよりも上に位置する。従って、前後方向に着目すると、押鍵面２７ａ上の押鍵点は、押鍵が進むにつれて後方に移動する（図５の２点鎖線）。しかし、このような構成であっても、前面４２ａ及び当接部２９ａに設けた傾斜により、非押鍵状態において最も両者を近接または当接させ、非押鍵状態では両者を確実に離間させることが可能である。
【００５３】
ところで、第１の実施の形態では、鍵本体２７、２８の後方への変位は、後方ストッパ４２とストッパ当接片２９、３０の当接部２９ａ、３０ａとの当接によって規制された。以下の第２〜第６の実施の形態では、これら当接関係となって鍵本体２７、２８の後方への変位を規制するものを第１の実施の形態とは異ならせる。
【００５４】
（第２の実施の形態）
図６は、本発明の第２の実施の形態に係る鍵盤構造が適用される電子鍵盤楽器の主要部の断面図である。本実施の形態では、突条部４１及び後方ストッパ４２を廃止して後方ストッパ５１を設けた点、及び、鍵本体２７、２８に当接部４３を設けた点だけが、第１の実施の形態とは異なり、その他の構成は第１の実施の形態と同様である。
【００５５】
後方ストッパ５１は、後方ストッパ４２と同様の材料で、フレーム１０の中間部１０ｂの後部上部に固着等によって固定的に設けられる。当接部４３は、各鍵本体２７、２８の下面に下方に突出して一体に形成される。非押鍵状態においては、後方ストッパ５１の前面に、当接部４３の後部が軽く当接している。そして、押鍵往行程において、鍵本体２７、２８が回動するにつれて、当接部４３が後方ストッパ５１から離間していく（図６の２点鎖線）。
【００５６】
本実施の形態によれば、第１の実施の形態と同様の効果を奏することができる。
【００５７】
（第３の実施の形態）
図７（ａ）は、本発明の第３の実施の形態に係る鍵盤構造が適用される電子鍵盤楽器の主要部の断面図である。本実施の形態では、キーガイド部４４及び当接部４５を設けた点だけが、第１の実施の形態とは異なり、その他の構成は第１の実施の形態と同様である。
【００５８】
キーガイド部４４は、鍵フレーム１０の各切り欠き部１０ｄにおいて、前方に少し延びた部分から上方に立ち上がるように鍵フレーム１０に一体に形成される。キーガイド部４４は、対応する一対のストッパ当接片２９、３０間に摺動可能に嵌合されている。一方、当接部４５は、鍵並び方向における対応する一対のストッパ当接片２９、３０間において、各鍵本体２７、２８の上部から、ストッパ当接片２９、３０の根本にかけて、鉛直方向及び鍵並び方向に平行なリブ状に一体に形成される。
【００５９】
押離鍵行程においては、一対のストッパ当接片２９、３０が、対応するキーガイド部４４に対して摺動することで、鍵本体２７、２８の回動動作が案内される。また、非押鍵状態においては、キーガイド部４４の前面に、当接部４５の後部が軽く当接している。そして、押鍵往行程において、鍵本体２７、２８が回動するにつれて、当接部４５がキーガイド部４４から離間していく。一方、鍵本体２７、２８の回動行程における後方ストッパ４２と当接部２９ａ、３０ａとの関係は第１の実施の形態と同様である。従って、キーガイド部４４及び当接部４５と、後方ストッパ４２及び当接部２９ａ、３０ａとが協働して、非押鍵状態における鍵本体２７、２８の後方への変位を規制する。
【００６０】
本実施の形態によれば、第１の実施の形態と同様の効果を奏することができ、２箇所での当接によって、一層安定的に、鍵本体２７、２８の後方への変位を規制することができる。
【００６１】
なお、後方ストッパ４２は廃止して、キーガイド部４４と当接部４５との当接のみによって、鍵本体２７、２８の後方への変位を規制するようにしてもよい。そのように構成した場合でも、キーガイド部４４が押鍵動作ガイド機能と鍵本体２７、２８の後方変位規制機能とを兼ねるので、構成の複雑化を回避することができる。
【００６２】
（第４の実施の形態）
図７（ｂ）は、本発明の第４の実施の形態に係る鍵盤構造が適用される電子鍵盤楽器の主要部の断面図である。本実施の形態では、突条部４１及び後方ストッパ４２を廃止して、突条部４７を設けると共に、上限ストッパ１４に代えて、同様の材料でなる上限／後方ストッパ４８を設けた点だけが、第１の実施の形態とは異なり、その他の構成は第１の実施の形態と同様である。
【００６３】
突条部４７は、鍵フレーム１０の中間部１０ｂの前部下部に、鍵並び方向に沿って一体に形成されている。上限／後方ストッパ４８は、中間部１０ｂの前部下部に、突条部４７の前面に当接して固着等によって固定的に設けられている。
【００６４】
上限／後方ストッパ４８は、上限ストッパ１４と同様に鍵本体２７、２８の押鍵初期位置を規制するが、それだけでなく、後方ストッパ４２と同様の機能も果たす。すなわち、非押鍵状態においては、上限／後方ストッパ４８の前面に、当接部２９ａ、３０ａの後部が軽く当接している。そして、押鍵往行程において、鍵本体２７、２８が回動するにつれて、当接部２９ａ、３０ａが上限／後方ストッパ４８から離間していく（図７（ｂ）の２点鎖線）。
【００６５】
本実施の形態によれば、第１の実施の形態と同様の効果を奏することができる。それだけでなく、上限／後方ストッパ４８が、押鍵初期ストッパ機能と鍵本体２７、２８の後方変位規制機能とを兼ねるので、構成の複雑化を回避することができる。
【００６６】
（第５の実施の形態）
図８（ａ）は、本発明の第５の実施の形態に係る鍵盤構造が適用される電子鍵盤楽器の主要部の断面図である。本実施の形態では、下限ストッパ１１を廃止すると共に、後方ストッパ４２に代えて、同様の材料でなる下限／後方ストッパ４９を設けた点だけが、第１の実施の形態とは異なり、その他の構成は第１の実施の形態と同様である。
【００６７】
下限／後方ストッパ４９は、中間部１０ｂの前部上部に、突条部４１の前面に当接して固着等によって固定的に設けられ、後方ストッパ４２よりも高さが高くなっている。下限／後方ストッパ４９は、往方向に回動する鍵本体２７、２８の下面と当接して、下限ストッパ１１と同様に鍵本体２７、２８の押鍵終了位置を規制するが、それだけでなく、後方ストッパ４２と同様の機能も果たす。
【００６８】
すなわち、非押鍵状態においては、下限／後方ストッパ４９の前面に、当接部２９ａ、３０ａの後部が軽く当接している。そして、押鍵往行程において、鍵本体２７、２８が回動するにつれて、当接部２９ａ、３０ａが下限／後方ストッパ４９から離間していく。
【００６９】
本実施の形態によれば、第１の実施の形態と同様の効果を奏することができる。それだけでなく、下限／後方ストッパ４９が、押鍵終了ストッパ機能と鍵本体２７、２８の後方変位規制機能とを兼ねるので、構成の複雑化を回避することができる。
【００７０】
（第６の実施の形態）
第１〜第５の実施の形態では、鍵本体２７、２８に対して実質的に当接関係となって鍵本体２７、２８の後方への変位を規制するものが、鍵フレーム１０に設けられたが、これに限るものではない。すなわち、楽器本体に対して直接または間接的に固定的に設けられていればよい。
【００７１】
図８（ｂ）は、本発明の第６の実施の形態に係る鍵盤構造が適用される電子鍵盤楽器の鍵後部の断面図である。本実施の形態では、突条部４１及び後方ストッパ４２を廃止すると共に、楽器本体の一部であるパネル部５０に後方ストッパ５２、５３を設けた点だけが、第１の実施の形態とは異なり、その他の構成は第１の実施の形態と同様である。
【００７２】
後方ストッパ５２、５３は、後方ストッパ４２と同様の材料でなり、鍵本体２７、２８の後端面２７ｂ、２８ｂとパネル部５０との間隙において、パネル部５０に固着等によって固定的に設けられる。非押鍵状態においては、後方ストッパ５２、５３の各前面に、白鍵本体２７の後端面２７ｂ、黒鍵本体２８の後端面２８ｂが、それぞれ軽く当接している。そして、押鍵往行程において、鍵本体２７、２８が回動するにつれて、鍵本体２７、２８の後端面２７ｂ、２８ｂが後方ストッパ５２、５３から離間していく。
【００７３】
本実施の形態によれば、第１の実施の形態と同様の効果を奏することができる。
【００７４】
なお、非押鍵状態における鍵本体２７、２８の後方への変位を抑制する観点からは、上記各実施の形態で示した例に限られない。結局、鍵本体２７、２８に固定的な当接部２９ａ、３０ａ等の部分に当接する後方ストッパ４２等の要素を、鍵フレーム１０または楽器本体の少なくとも一方に固定的に設ければよい。鍵本体２７、２８の後方への変位を安定的に抑制する観点からは、当接部２９ａ、３０ａ等の要素及び後方ストッパ４２等の要素の上下方向の位置は、鍵本体２７、２８に近い方が好ましい。例えば、上記各実施の形態で示したように、鍵支点部となる共通基端部２１〜２３の上端位置と同じかそれよりも鍵本体２７、２８に近い側（上方）に配設するのが望ましい。
【００７５】
また、上記各実施の形態で示した当接関係となる組み合わせのうち、２つ以上を具備する構成としてもよい。例えば、当接部２９ａ、３０ａ及び後方ストッパ４２の組み合わせ（第１の実施の形態；図１）と、後端面２７ｂ、２８ｂ及び後方ストッパ５２、５３の組み合わせ（第６の実施の形態；図８（ｂ））を併設してもよい。
【００７６】
なお、後方ストッパ４２、５１、５２、５３、上限／後方ストッパ４８、下限／後方ストッパ４９は、各鍵毎に個別の構成としてもよいし、所定の鍵域毎に一体の構成としてもよい。
【００７７】
なお、当接部２９ａ、３０ａ等と後方ストッパ４２等との当接関係は、面接触に限られず、線接触や点接触でもよい。
【００７８】
なお、上記各実施の形態では、後方ストッパ４２等をフェルト等で構成して衝撃緩衝性を持たせたが、これに限られず、後方ストッパ４２等に当接する鍵本体２７、２８側の部分（当接部２９ａ、３０ａ等）に衝撃緩衝性を有する部材を固着等で設けてもよい。その場合、後方ストッパ４２等に相当する要素は、鍵フレーム１０と一体に形成してもよい。
【００７９】
なお、上記各実施の形態において、ヒンジ部２４〜２６は、鉛直方向に延設されたが、鍵盤楽器の奥行き寸法を極力抑えると共に、押鍵面２７ａ、２８ａの軌跡を良好にする観点からは、押鍵面２７ａに対して交差し且つ鍵並び方向に平行に形成されていればよい。従って、例えば、後方に向かって下方に斜めに傾斜していてもよい。また、共通基端部自体はヒンジ部２４〜２６とは平行でなくてもよく、同厚である必要もない。また、ヒンジ部２４〜２６との間に前後方向の段差を有していてもよい。
【００８０】
なお、上記各実施の形態では、非押鍵状態における鍵本体２７、２８の後方への変位を抑制する構成を示したが、これらとは前後反対の構成の、前方への変位を抑制する機構を追加して設けてもよい。その場合、例えば、当接部分には、傾斜方向を図５の例とは前後逆とした形状を採用して、非押鍵状態のときだけ当接するように構成すればよい。
【００８１】
なお、各鍵が鍵ユニットＵＮＴの一部として構成されたものを例示したが、各鍵が単体で構成されるものについても、本発明を適用可能である。
【００８２】
なお、押鍵に対して適当な慣性を付与するハンマ体が鍵に連動して回動するようにされたハンマ体付きの鍵盤楽器においても、本発明を適用可能である。
【図面の簡単な説明】
【００８３】
【図１】本発明の第１の実施の形態に係る鍵盤構造が適用される電子鍵盤楽器の主要部の断面図である。
【図２】鍵ユニットの斜視図（図（ａ））、鍵フレームの斜視図（図（ｂ））である。
【図３】黒鍵ユニットの斜視図である。
【図４】白鍵、黒鍵ユニット及び鍵ユニットの後半部の側面図である。
【図５】第１の実施の形態における後方ストッパ及び当接部の変形例の要部を示す側面図である。
【図６】本発明の第２の実施の形態に係る鍵盤構造が適用される電子鍵盤楽器の主要部の断面図である。
【図７】本発明の第３の実施の形態に係る鍵盤構造が適用される電子鍵盤楽器の主要部の断面図（図（ａ））、本発明の第４の実施の形態に係る鍵盤構造が適用される電子鍵盤楽器の主要部の断面図（図（ｂ））である。
【図８】本発明の第５の実施の形態に係る鍵盤構造が適用される電子鍵盤楽器の主要部の断面図（図（ａ））、本発明の第６の実施の形態に係る鍵盤構造が適用される電子鍵盤楽器の鍵後部の断面図（図（ｂ））である。
【符号の説明】
【００８４】
１０  鍵フレーム、  ２１  第１白鍵共通基端部（基端部）、  ２２  第２白鍵共通基端部（基端部）、  ２３  黒鍵共通基端部（基端部）、  ２４、２５、２６  ヒンジ部、  ２７、２８  鍵本体（鍵本体部）、  ２７ａ、２８ａ  押鍵面、  ２７ｂ、２８ｂ  後端面（ストッパ当接部）、  ２９ａ、３０ａ  当接部（ストッパ当接部）、  ４２、５１、５２、５３  後方ストッパ（ストッパ部）、  ４３、４５  当接部（ストッパ当接部）、  ４４  キーガイド部（鍵ガイド部）、  ４８  上限／後方ストッパ（ストッパ部、押鍵初期ストッパ）、  ４９  下限／後方ストッパ（ストッパ部、押鍵終了ストッパ）、  ５０  パネル部（楽器本体の一部）
【図１】
2008026403.tif 000003
【図２】
2008026403.tif 000004
【図３】
2008026403.tif 000005
【図４】
2008026403.tif 000006
【図５】
2008026403.tif 000007
【図６】
2008026403.tif 000008
【図７】
2008026403.tif 000009
【図８】
2008026403.tif 000010